(57)【要約】      （修正有）【課題】片方の足に麻痺があり歩くことができる人が、より速く安定して歩けるようにする。【解決手段】つまさき立ち足ふみをして下腿三頭筋（足のふくらはぎの筋肉）に負荷を与えて鍛えることにより、より速く安定して歩く。【選択図】なし【特許請求の範囲】
【請求項１】
片方の足に麻痺があり歩くことができる人が  より速く安定して歩く方法。
詳細は、筋肉に負荷を与えると筋肉が増大し力がつくという自然の法則を利用しつまさき立ち足ふみに使う筋肉下腿三頭筋（足のふくらはぎの筋肉）を鍛えた。具体的には両手で手すりをつかみ、つま先立ちして足ふみをした。７．４メートルの距離を  はや歩きで何秒かかるか  つまさき立ち足ふみをする前とあとで日にちをおいて測定した。
直立してかかとを地面につけ足の指に力を入れないと下腿三頭筋は柔らかく、直立してかかとを上げる（つま先立ち）と  足の指に力がはいり下腿三頭筋は固くなり下腿三頭筋は足の指に力をいれることに関係していることが解る。また直立してかかとを上げたまま（つま先立ち）手すりから手を１−２秒離すと足首から下の部分の足や下腿三頭筋が小さく上下左右に動き  足の指に力がはいり足の指は体のバランスをとっているのがわかる。このことから下腿三頭筋は  つま先立ちをすると固くなり小さく上下左右に動き足の指に力がはいり部分的に体のバランスをとっているのがわかる。よって  つまさき立ち足ふみをして下腿三頭筋に負荷をかけ鍛えれば体がより安定し速く歩くことができる。
平成３０年５月２４日から  つまさき立ち足ふみを始めその時の７．４メートルの距離をはや歩きで歩き  かかった時間が１回目約１０秒２回目約１０秒３回目約１０秒、その１ヶ月後の６月２４日の測定でかかった時間も１回目約１０秒２回目約１０秒３回目約１０秒だった。７月１５日は１回目約９秒２回目約９秒３回目約８．５秒だった。平成３０年５月２４日から  ２か月後の７月２４日は１回目約９秒２回目約８秒３回目約８秒だった。このことにより下腿三頭筋を鍛えれば速く安定して歩くことができることが解る。はや歩の時間を測った時計は腕時計でＣＩＴＩＺＥＮ  Ｅ１１０−Ｋ１７８２９ＣＫＷ製造番号３４０３２２。
１日の内  つま先立ち足ふみをした時間は朝９時から１２時までと１３時から１７時までで  その時間の中で１〜２分間つま先立ち足ふみをし疲れたときは５分間ほどつま先立ち足ふみを止め休んだ。それを朝９時から１２時までと１３時から１７時の中で繰り返した。
発明者尾関一が７．４メートルの距離をはや足で歩いた。平成１４年１月の脳幹出血の後遺症で左足が障害３級だが杖なしでびっこをしながら歩くことができる。名古屋市から身体障害者手帳が交付された。番号は第２６２４８２号平成１４年７月１５日交付。
歩く距離を７．４メートルとしたのは部屋の中で最大３．７メートルとることができるので往復して歩いて７．４メートルとした。
また速く歩くには体のバランスをとらないと転ぶので下腿三頭筋を鍛えて速く歩くことができるということ、足の指は下腿三頭筋に関係していること、足の指は体のバランスをとっていることから下腿三頭筋は足の指をとおして速く歩くとき体のバランスをとっているということが明らかになる。
【発明の詳細な説明】
【技術分野】
【０００１】  平成３０年５月２４日から  つまさき立ち足ふみを始めその時の７．４メートルの距離をはや歩きで歩き  かかった時間が１回目約１０秒２回目約１０秒３回目約１０秒、その１ヶ月後の６月２４日の測定でかかった時間も１回目約１０秒２回目約１０秒３回目約１０秒だった。７月１５日は１回目約９秒２回目約９秒３回目約８．５秒だった。平成３０年５月２４日から  ２か月後の７月２４日は１回目約９秒２回目約８秒３回目約８秒だった。１日の内  つま先立ち足ふみをした時間は朝９時から１２時までと１３時から１７時まででその時間の中で１〜２分間つま先立ち足ふみをし疲れたときは５分間ほどつま先立ち足ふみを止め休んだ。それを朝９時から１２時までと１３時から１７時の中で繰り返した。
【背景技術】
【０００２】  筋肉に負荷を与えると筋肉が増大し力がつくという技術とはや歩きの時間を測った時計は腕時計でＣＩＴＩＺＥＮ  Ｅ１１０−Ｋ１７８２９ＣＫＷ製造番号３４０３２２。
【発明の概要】
【発明が解決しようとする課題】
【０００３】  片方の足に麻痺があり歩くことができる人が  より速く安定して歩くこと。
【課題を解決するための手段】
【０００４】  つま先足ふみをして下腿三頭筋（足のふくらはぎの筋肉）に負荷を与え鍛えた。
【発明の効果】
【０００５】  より速く安定して歩くことができる。
【発明を実施するための最良の形態】
【０００６】  より多くの介護師につまさき立ち足ふみを知ってもらいたい。そうすればより多くの歩きにくい人がより速く安定して歩くことができるようになる。
【はや歩きの距離を７．４メートルとした理由】
【０００７】  部屋の中で最大３．７メートルとることができるので往復して歩いて７．４メートルとした。
【下腿三頭筋（足のふくらはぎの筋肉）が体のバランスをとっている説明】
【０００８】  直立してかかとを地面につけ足の指に力を入れないで下腿三頭筋に触れると柔らかく、直立してかかとを上げる（つま先立ち）と  足の指に力がはいり下腿三頭筋は固くなり下腿三頭筋は足の指に力をいれることに関係していることが解る。また直立してかかとを上げたまま（つま先立ち）手すりから手を１−２秒離すと足首から下の部分の足や下腿三頭筋が小さく上下左右に動き  足の指に力がはいり足の指は体のバランスをとっているのがわかる。このことから下腿三頭筋は  つま先立ちをすると固くなり小さく上下左右に動き足の指に力がはいり部分的に体のバランスをとっているのがわかる。よって  つまさき立ち足ふみをして下腿三頭筋に負荷をかけ鍛えれば体がより安定し速く歩くことができる。また速く歩くには体のバランスをとらないと転ぶので下腿三頭筋を鍛えて速く歩くことができるということ、足の指は下腿三頭筋に関係していること、足の指は体のバランスをとっていることから下腿三頭筋は足の指をとおして速く歩くとき体のバランスをとっているということが明らかになる。
【下腿三頭筋を鍛える方法】
【０００９】  つまさき立ち足ふみをして下腿三頭筋に負荷をかけ鍛えれば体がより安定し速く歩くことができる。
【７．４メートルをはや足で歩いた人】
【００１０】  発明者尾関一が７．４メートルの距離をはや足で歩いた。平成１４年１月の脳幹出血の後遺症で左足が障害３級だが杖なしでびっこをしながら歩くことができる。名古屋市から身体障害者手帳が交付された。番号は第２６２４８２号平成１４年７月１５日交付。
【手続補正書】
【提出日】平成30年9月19日(2018.9.19)
【手続補正１】
【補正対象書類名】明細書
【補正対象項目名】全文
【補正方法】変更
【補正の内容】
【発明の詳細な説明】
【技術分野】
【０００１】  平成３０年５月２４日から  つまさき立ち足ふみを始めその時の７．４メートルの距離をはや歩きで歩き  かかった時間が１回目約１０秒２回目約１０秒３回目約１０秒、その１ヶ月後の６月２４日の測定でかかった時間も１回目約１０秒２回目約１０秒３回目約１０秒だった。７月１５日は１回目約９秒２回目約９秒３回目約８．５秒だった。平成３０年５月２４日から  ２か月後の７月２４日は１回目約９秒２回目約８秒３回目約８秒だった。１日の内  つま先立ち足ふみをした時間は朝９時から１２時までと１３時から１７時まででその時間の中で１〜２分間つま先立ち足ふみをし疲れたときは５分間ほどつま先立ち足ふみを止め休んだ。それを朝９時から１２時までと１３時から１７時の中で繰り返した。
【背景技術】
【０００２】  筋肉に負荷を与えると筋肉が増大し力がつくという技術とはや歩きの時間を測った時計は腕時計でＣＩＴＩＺＥＮ  Ｅ１１０−Ｋ１７８２９ＣＫＷ製造番号３４０３２２。
【発明の概要】
【発明が解決しようとする課題】
【０００３】  片方の足に麻痺があり歩くことができる人が  より速く安定して歩くこと。
【課題を解決するための手段】
【０００４】  つま先足ふみをして下腿三頭筋（足のふくらはぎの筋肉）に負荷を与え鍛えた。
【発明の効果】
【０００５】  より速く安定して歩くことができる。
【発明を実施するための最良の形態】
【０００６】  より多くの介護師につまさき立ち足ふみを知ってもらいたい。そうすればより多くの歩きにくい人がより速く安定して歩くことができるようになる。
【はや歩きの距離を７．４メートルとした理由】
【０００７】  部屋の中で最大３．７メートルとることができるので往復して歩いて７．４メートルとした。
【下腿三頭筋（足のふくらはぎの筋肉）が体のバランスをとっている説明】
【０００８】  直立してかかとを地面につけ足の指に力を入れないで下腿三頭筋に触れると柔らかく、直立してかかとを上げる（つま先立ち）と  足の指に力がはいり下腿三頭筋は固くなり下腿三頭筋は足の指に力をいれることに関係していることが解る。また直立してかかとを上げたまま（つま先立ち）手すりから手を１−２秒離すと足首から下の部分の足が小さく上下左右に動き  足の指に力がはいり足の指は体のバランスをとっているのがわかる。このことから下腿三頭筋はつま先立ちをすると固くなり足の指に力がはいり部分的に体のバランスをとっているのがわかる。よってつまさき立ち足ふみをして下腿三頭筋に負荷をかけ鍛えれば体がより安定し速く歩くことができる。また速く歩くには体のバランスをとらないと転ぶので下腿三頭筋を鍛えて速く歩くことができるということ、足の指は下腿三頭筋に関係していること、足の指は体のバランスをとっていることから下腿三頭筋は足の指をとおして速く歩くとき体のバランスをとっているということが明らかになる。
【下腿三頭筋を鍛える方法】
【０００９】  つまさき立ち足ふみをして下腿三頭筋に負荷をかけ鍛えれば体がより安定し速く歩くことができる。
【７．４メートルをはや足で歩いた人】
【００１０】  発明者尾関一が７．４メートルの距離をはや足で歩いた。平成１４年１月の脳幹出血の後遺症で左足が障害３級だが杖なしでびっこをしながら歩くことができる。名古屋市から身体障害者手帳が交付された。番号は第２６２４８２号平成１４年７月１５日交付。
【手続補正２】
【補正対象書類名】特許請求の範囲
【補正対象項目名】全文
【補正方法】変更
【補正の内容】
【特許請求の範囲】
【請求項１】
片方の足に麻痺があり歩くことができる人が  より速く安定して歩く方法。
詳細は、筋肉に負荷を与えると筋肉が増大し力がつくという自然の法則を利用しつまさき立ち足ふみに使う筋肉下腿三頭筋（足のふくらはぎの筋肉）を鍛えた。具体的には両手で手すりをつかみ、つま先立ちして足ふみをした。７．４メートルの距離を  はや歩きで何秒かかるか  つまさき立ち足ふみをする前とあとで日にちをおいて測定した。
直立してかかとを地面につけ足の指に力を入れないと下腿三頭筋は柔らかく、直立してかかとを上げる（つま先立ち）と  足の指に力がはいり下腿三頭筋は固くなり下腿三頭筋は足の指に力をいれることに関係していることが解る。また直立してかかとを上げたまま（つま先立ち）手すりから手を１−２秒離すと足首から下の部分の足が小さく上下左右に動き  足の指に力がはいり足の指は体のバランスをとっているのがわかる。このことから下腿三頭筋はつま先立ちをすると固くなり足の指に力がはいり部分的に体のバランスをとっているのがわかる。よって  つまさき立ち足ふみをして下腿三頭筋に負荷をかけ鍛えれば体がより安定し速く歩くことができる。
平成３０年５月２４日から  つまさき立ち足ふみを始めその時の７．４メートルの距離をはや歩きで歩き  かかった時間が１回目約１０秒２回目約１０秒３回目約１０秒、その１ヶ月後の６月２４日の測定でかかった時間も１回目約１０秒２回目約１０秒３回目約１０秒だった。７月１５日は１回目約９秒２回目約９秒３回目約８．５秒だった。平成３０年５月２４日から  ２か月後の７月２４日は１回目約９秒２回目約８秒３回目約８秒だった。このことにより下腿三頭筋を鍛えれば速く安定して歩くことができることが解る。はや歩の時間を測った時計は腕時計でＣＩＴＩＺＥＮ  Ｅ１１０−Ｋ１７８２９ＣＫＷ製造番号３４０３２２。
１日の内  つま先立ち足ふみをした時間は朝９時から１２時までと１３時から１７時までで  その時間の中で１〜２分間つま先立ち足ふみをし疲れたときは５分間ほどつま先立ち足ふみを止め休んだ。それを朝９時から１２時までと１３時から１７時の中で繰り返した。
発明者尾関一が７．４メートルの距離をはや足で歩いた。平成１４年１月の脳幹出血の後遺症で左足が障害３級だが杖なしでびっこをしながら歩くことができる。名古屋市から身体障害者手帳が交付された。番号は第２６２４８２号平成１４年７月１５日交付。
歩く距離を７．４メートルとしたのは部屋の中で最大３．７メートルとることができるので往復して歩いて７．４メートルとした。
また速く歩くには体のバランスをとらないと転ぶので下腿三頭筋を鍛えて速く歩くことができるということ、足の指は下腿三頭筋に関係していること、足の指は体のバランスをとっていることから下腿三頭筋は足の指をとおして速く歩くとき体のバランスをとっているということが明らかになる。
【手続補正書】
【提出日】平成30年12月19日(2018.12.19)
【手続補正２】
【補正対象書類名】特許請求の範囲
【補正対象項目名】全文
【補正方法】変更
【補正の内容】
【特許請求の範囲】
【請求項１】
片方の足に麻痺があり歩くことができる人が  より速く安定して歩く方法。
詳細は、筋肉に負荷を与えると筋肉が増大し力がつくという自然の法則を利用しつまさき立ち足ふみに使う筋肉下腿三頭筋（足のふくらはぎの筋肉）を鍛えた。具体的には両手で手すりをつかみ、つま先立ちして足ふみをした。７．４メートルの距離を  はや歩きで何秒かかるか  つまさき立ち足ふみをする前とあとで日にちをおいて測定した。
直立してかかとを地面につけ足の指に力を入れないと下腿三頭筋は柔らかく、直立してかかとを上げる（つま先立ち）と  足の指に力がはいり下腿三頭筋は固くなり下腿三頭筋は足の指に力をいれることに関係していることが解る。また直立してかかとを上げたまま（つま先立ち）  手すりから手を１−２秒離すと足首から下の部分の足が小さく上下左右に動き  足の指に力がはいり足の指は部分的に体のバランスをとっているのがわかる。このことから下腿三頭筋は  つま先立ちをすると固くなり足の指に力がはいり部分的に体のバランスをとっているのがわかる。よって  つまさき立ち足ふみをして下腿三頭筋に負荷をかけ鍛えれば体がより安定し速く歩くことができる。
平成３０年５月２４日から  つまさき立ち足ふみを始めその時の７．４メートルの距離をはや歩きで歩き  かかった時間が１回目約１０秒２回目約１０秒３回目約１０秒、その１ヶ月後の６月２４日の測定でかかった時間も１回目約１０秒２回目約１０秒３回目約１０秒だった。７月１５日は１回目約９秒２回目約９秒３回目約８．５秒だった。平成３０年５月２４日から  ２か月後の７月２４日は１回目約９秒２回目約８秒３回目約８秒だった。このことにより下腿三頭筋を鍛えれば速く安定して歩くことができることが解る。はや歩の時間を測った時計は腕時計でＣＩＴＩＺＥＮ  Ｅ１１０−Ｋ１７８２９ＣＫＷ製造番号３４０３２２。
１日の内  つま先立ち足ふみをした時間は朝９時から１２時までと１３時から１７時までで  その時間の中で１〜２分間つま先立ち足ふみをし疲れたときは５分間ほどつま先立ち足ふみを止め休んだ。それを朝９時から１２時までと１３時から１７時の中で繰り返した。
発明者尾関一が７．４メートルの距離をはや足で歩いた。平成１４年１月の脳幹出血の後遺症で左足が障害３級だが杖なしでびっこをしながら歩くことができる。名古屋市から身体障害者手帳が交付された。番号は第２６２４８２号平成１４年７月１５日交付。
歩く距離を７．４メートルとしたのは部屋の中で最大３．７メートルとることができるので往復して歩いて７．４メートルとした。
また速く安定して歩くには体のバランスをとらないと転ぶので下腿三頭筋を鍛えて速く安定して歩くことができるということ、足の指は下腿三頭筋に関係していること、足の指は部分的に体のバランスをとっていることから下腿三頭筋は足の指をとおして速く安定して歩くとき部分的に体のバランスをとっているということが明らかになる。
【手続補正３】
【補正対象書類名】明細書
【補正対象項目名】全文
【補正方法】変更
【補正の内容】
【発明の詳細な説明】
【技術分野】
【０００１】  平成３０年５月２４日から  つまさき立ち足ふみを始めその時の７．４メートルの距離をはや歩きで歩き  かかった時間が１回目約１０秒２回目約１０秒３回目約１０秒、その１ヶ月後の６月２４日の測定でかかった時間も１回目約１０秒２回目約１０秒３回目約１０秒だった。７月１５日は１回目約９秒２回目約９秒３回目約８．５秒だった。平成３０年５月２４日から  ２か月後の７月２４日は１回目約９秒２回目約８秒３回目約８秒だった。１日の内  つま先立ち足ふみをした時間は朝９時から１２時までと１３時から１７時まででその時間の中で１〜２分間つま先立ち足ふみをし疲れたときは５分間ほどつま先立ち足ふみを止め休んだ。それを朝９時から１２時までと１３時から１７時の中で繰り返した。
【背景技術】
【０００２】  筋肉に負荷を与えると筋肉が増大し力がつくという技術とはや歩きの時間を測った時計は腕時計でＣＩＴＩＺＥＮ  Ｅ１１０−Ｋ１７８２９ＣＫＷ製造番号３４０３２２。
【発明の概要】
【発明が解決しようとする課題】
【０００３】  片方の足に麻痺があり歩くことができる人が  より速く安定して歩くこと。
【課題を解決するための手段】
【０００４】  つま先足ふみをして下腿三頭筋（足のふくらはぎの筋肉）に負荷を与え鍛えた。
【発明の効果】
【０００５】  より速く安定して歩くことができる。
【発明を実施するための最良の形態】
【０００６】  より多くの介護師につまさき立ち足ふみを知ってもらいたい。そうすればより多くの歩きにくい人がより速く安定して歩くことができるようになる。
【はや歩きの距離を７．４メートルとした理由】
【０００７】  部屋の中で最大３．７メートルとることができるので往復して歩いて７．４メートルとした。
【下腿三頭筋（足のふくらはぎの筋肉）が体のバランスをとっている説明】
【０００８】  直立してかかとを地面につけ足の指に力を入れないで下腿三頭筋に触れると柔らかく、直立してかかとを上げる（つま先立ち）と  足の指に力がはいり下腿三頭筋は固くなり下腿三頭筋は足の指に力をいれることに関係していることが解る。また直立してかかとを上げたまま（つま先立ち）  手すりから手を１−２秒離すと足首から下の部分の足が小さく上下左右に動き  足の指に力がはいり足の指は体のバランスをとっているのがわかる。このことから下腿三頭筋は  つま先立ちをすると固くなり足の指に力がはいり部分的に体のバランスをとっているのがわかる。よってつまさき立ち足ふみをして下腿三頭筋に負荷をかけ鍛えれば体がより安定し速く歩くことができる。また速く安定して歩くには体のバランスをとらないと転ぶので下腿三頭筋を鍛えて速く歩くことができるということ、足の指は下腿三頭筋に関係していること、足の指は部分的に体のバランスをとっていることから下腿三頭筋は足の指をとおして速く安定して歩くとき部分的に体のバランスをとっているということが明らかになる。
【下腿三頭筋を鍛える方法】
【０００９】  つまさき立ち足ふみをして下腿三頭筋に負荷をかけ鍛えれば体がより安定し速く歩くことができる。
【７．４メートルをはや足で歩いた人】
【００１０】  発明者尾関一が７．４メートルの距離をはや足で歩いた。平成１４年１月の脳幹出血の後遺症で左足が障害３級だが杖なしでびっこをしながら歩くことができる。名古屋市から身体障害者手帳が交付された。番号は第２６２４８２号平成１４年７月１５日交付。